(57)【要約】【課題】受光が良好で適切な検出が可能な光センサを備えた照明装置を提供する。【解決手段】本発明は、基板２１と、この基板２１に実装された発光素子２２とを備えた光源部２と；この光源部２が前面側に配設された取付部材３と；この取付部材３の背面側に配設された回路基板４１と、この回路基板４１の前面側に実装されて前記取付部材３の背面側と対向する回路部品４２と、回路基板４１の背面側に実装されて周囲の明るさを感知して前記光源部２を制御する光センサ４３とを備えた点灯装置４と；前記光源部２及び点灯装置４を覆う透光性を有するカバー部材１と；を備える照明装置である。【選択図】図３
2012216477.tif 000002
【特許請求の範囲】
【請求項１】
基板と、この基板に実装された発光素子とを備えた光源部と；
この光源部が前面側に配設された取付部材と；
この取付部材の背面側に配設された回路基板と、この回路基板の前面側に実装されて前記取付部材の背面側と対向する回路部品と、回路基板の背面側に実装されて周囲の明るさを感知して前記光源部を制御する光センサとを備えた点灯装置と；
前記光源部及び点灯装置を覆う透光性を有するカバー部材と；
を具備することを特徴とする照明装置。
【請求項２】
前記回路基板の前面側には、主として高さ寸法の大きい回路部品が実装されており、回路基板の背面側には、高さ寸法の小さい回路部品が実装されていることを特徴とする請求項１に記載の照明装置。
【請求項３】
前記取付部材の背面側には、受光穴が形成された箱状のケースが取付けられており、このケース内に前記点灯装置が配設されて光センサが受光穴に対向して配置されていることを特徴とする請求項１又は請求項２に記載に記載の照明装置。
【請求項４】
前記カバー部材は、先端部に向かって傾斜面をなす先細状に形成されていて、前記光センサは、前記傾斜面に対応して配置されていることを特徴とする請求項１乃至請求項３のいずれか一に記載に記載の照明装置。
【発明の詳細な説明】
【技術分野】
【０００１】
本発明の実施形態は、周囲の明るさを感知して光源部を制御する光センサを備えた照明装置に関する。
【背景技術】
【０００２】
この種、照明装置において、周囲の明るさを感知する光センサを備えて光源部に自動点滅機能をもたせるものが知られている。例えば、照明装置としての防犯灯では、周囲が暗くなったら光源部が自動的に点灯し、明るくなったら自動的に消灯するといった制御が行われる。
【０００３】
従来、ＬＥＤ等の発光素子を光源とする光源部の背面側に光センサを配置し、光センサが発光素子からの光の影響を受けないようにして、光センサの誤動作を防ぐようにした照明装置が提案されている。
【先行技術文献】
【特許文献】
【０００４】
【特許文献１】特開２０１１−１８４６９号公報
【特許文献２】特開２０１１−３４８５６号公報
【発明の概要】
【発明が解決しようとする課題】
【０００５】
しかしながら、上記照明装置は、光センサの受光が良好に行われるように、その配置について格別考慮されたものではない。
【０００６】
本発明は、上記課題に鑑みなされたもので、光センサの配設位置を考慮し、受光が良好で適切な検出が可能な光センサを備えた照明装置を提供することを目的とする。
【課題を解決するための手段】
【０００７】
本発明の実施形態による照明装置は、基板と、この基板に実装された発光素子とを備えた光源部と、この光源部が前面側に配設された取付部材とを備えている。
【０００８】
また、取付部材の背面側には、点灯装置が配設されており、この点灯装置は、回路基板と、この回路基板の前面側に実装されて前記取付部材の背面側と対向する回路部品と、回路基板の背面側に実装されて周囲の明るさを感知して前記光源部を制御する光センサとを備えている。さらに、前記光源部及び点灯装置を覆う透光性を有するカバー部材を備えている。
【発明の効果】
【０００９】
本発明の実施形態によれば、光センサの適切な検出によって光源部を制御することが可能となる照明装置を提供することができる。また、光センサは、点灯装置の回路基板を有効に利用して実装されているので、構成の簡素化を図ることができる。
【図面の簡単な説明】
【００１０】
【図１】本発明の実施形態に係る照明装置を示す斜視図である。
【図２】同照明装置を示す側面図である。
【図３】同照明装置を示す側断面図である。
【図４】同照明装置を分解して示す斜視図である。
【発明を実施するための形態】
【００１１】
以下、本発明の実施形態について図１乃至図４を参照して説明する。本実施形態は、照明装置として防犯灯を示している。防犯灯は、道路に立設された電柱や公園等のポール、工場の外壁等に設置されて使用されるもので、主として歩行者の安全を確保するものである。
【００１２】
図１は、防犯灯を示す斜視図であり、図２は、側面図であり、図３は、側断面図である。また、図４は、分解して示す斜視図である。なお、各図において同一部分には、同一符号を付し重複した説明は省略する。
【００１３】
防犯灯は、透光性を有するカバー部材１と、光源部２と、光源部２が取付けられる取付部材３と、光源部２を点灯制御する点灯装置４と、基体部５と、基体部５に取付けられたアーム６とを備えている。
【００１４】
カバー部材１は、先端部１１が閉塞されており、基端部１２側に開口部１３が形成されていて、筒状に形成されている。カバー部材１は、アクリルやポリカーボネート等の透光性樹脂で一体に成形され、全体として透光性を有している。また、カバー部材１を成形する透光性樹脂には白色顔料や光拡散材が添加されており、全体として乳白状の外観を呈している。なお、カバー部材１は、全体が透明であってもよく、一部が透光性を有する形態であってもよい。
【００１５】
カバー部材１は、先端部１１側の筒本体１ａと基端部１２側のフランジ部１ｂとによって構成されている。基端部１２のフランジ部１ｂは、その外周部が円筒形であり、また、内側の開口部１３の輪郭が円形状となっている。筒本体１ａは、フランジ部１ｂから先端部１１側に向かってフランジ部１ｂの外径よりもやや小さい円筒形状をなして一体的に形成されている。
【００１６】
カバー部材１の筒本体１ａには、投光部１４及び笠部１５が形成されている。筒本体１ａは、前面側（光の照射方向側、図示上における下方側）が路面への照射光を透過する投光部１４、背面側（図示上における上方側）が笠部１５としてそれぞれ機能する。笠部１５におけるフランジ部１ｂ側の背面側には、略コの字状の壁部１５ａが突出形成されており、この壁部１５ａは、その先端が揃って平坦となるような高さに形成されている。カバー部材１の内部には、開口部１３と連通する収容空間１６が形成されており、この収容空間１６は開口部１３以外とは連通することがない実質的な閉空間となっている。
【００１７】
フランジ部１ｂの内側面１７には、雌ねじ部１７ａが内側円周方向に形成されており、この雌ねじ部１７ａよりも先端部１１側には平坦面１７ｂが内側円周方向に連続して形成されている。筒本体１ａは、先端部１１に向かうに従って外径が小さくなるやや湾曲した傾斜面Ｓをなす先細り形状の筒体となっている。特に、筒本体１ａの上下方向の外径寸法は幅方向の外径寸法よりも先端部１１に向かって減少する割合が大きく、先端部１１付近での筒本体１ａの断面形状は幅方向を長径とする偏平な略楕円形状となっている。
【００１８】
カバー部材１の筒本体１ａの幅方向の周囲には、投光部１４及び笠部１５の外周面よりもやや外側に突出した段部１８が連続して帯状に形成されている。この段部１８が外側に張り出していることにより、段部１８が投光部１４の庇として機能しており、降雨時の水滴が投光部１４に流下しにくくなり、投光部１４の表面に汚れが付着しにくくなる。
【００１９】
この段部１８の内側には、収容空間１６に開口する溝部１９が形成されている。すなわち、この溝部１９は、少なくともカバー部材１の長手方向に沿って幅方向にそれぞれ設けられており、開口部１３からみて一対の溝部１９が形成されるようになっている。
【００２０】
カバー部材１の肉厚寸法は、筒本体１ａ及びフランジ部１ｂを含めて全体的に約２．５ｍｍであり、機械的強度、拡散透過率、放熱作用や耐候性等の所定の特性が確保されている。
【００２１】
光源部２は、基板２１と、この基板２１に実装された複数の発光素子２２とを備えている。基板２１は、略長方形状に形成された紙フェノール製のプリント基板であり、この基板２１の表面側には図示しない配線パターンと発光素子２２の端子接続用のランドとが銅箔により形成されている。なお、基板２１の材料は、絶縁材とする場合には、セラミックス材料、ガラスエポキシ材料や他の合成樹脂材料を適用できる。さらに、金属製とする場合は、アルミニウム等の熱伝導性が良好で放熱性に優れたべース板の一面に絶縁層が積層された金属製のべース基板を適用できる。
【００２２】
基板２１の表面側には、白色発光する発光素子２２が所定間隔をおいて直線状に７個実装されている。発光素子２２は、ＬＥＤであり、表面実装型のＬＥＤパッケージである。概略的にはセラミックスや耐熱性の合成樹脂で形成された本体に配設されたＬＥＤチップと、このＬＥＤチップを封止するエポキシ系樹脂やシリコーン樹脂等のモールド用の透光性樹脂とから構成されている。この透光性樹脂には、白色発光するために蛍光体が混入されている。
【００２３】
また、基板２１の前面側には、各発光素子２２と対向するようにレンズ部が形成されたアクリル樹脂等の透明材料から形成されたレンズ部材２３が配置されるようになっている。
【００２４】
光源部２は、取付部材３に取付けられている。取付部材３は、アルミニウム等の熱伝導性が良好な金属材料から作られており、先端側が円弧状に形成されて平板状をなしている。
【００２５】
光源部２は、この取付部材３の前面側に配設されており、基板２１の背面側（裏面側）が取付部材３の前面側に密着するように固定手段によって取付けられている。具体的には、図４に代表して示すように、基板２１に形成されたねじ貫通孔及び取付部材３に形成されたねじ貫通孔を貫通し、さらに、後述する点灯装置４のケース４４における取付舌片４４ｂに形成されたねじ貫通孔を貫通してナットによって締め付けられる取付ボルトＢによって、基板２１及びケース４４は、取付部材３に同時に共締めされて取付けられるようになっている。
【００２６】
取付部材３の背面側には、点灯装置４が配設されている。図３及び図４に代表して示すように、点灯装置４は、回路基板４１と、この回路基板４１の前面側（表面側）に実装された回路部品４２と、回路基板４１の背面側（裏面側）に実装された光センサ４３とを備えている。
【００２７】
回路基板４１は、ガラスエポキシ樹脂等の絶縁材料からなり、略長方形の板状に形成されて、表面側には、制御用ＩＣ、コンデンサ、巻線部品、抵抗素子等の主として高さ寸法の大きい回路部品４２が実装されている。また、回路基板４１の裏面側には、スイッチング素子や表面実装部品等の比較的高さ寸法の小さい回路部品４２ａが実装されているとともに、先端側には、光センサ４３が実装されている。
【００２８】
光センサ４３は、周囲の明るさを感知して動作するフォトダイオード等の光電変換素子から構成されており、この光センサ４３の検知出力によって光源部２の点滅動作が制御される。
【００２９】
このような点灯装置４は、回路基板４１に実装された回路部品４２が取付部材３の背面側と対向するように、熱伝導性を有するアルミニウム等の金属製のケース４４に取付けられて収容されている。ケース４４は、略直方体形状の箱状に形成されていて、背面壁には、光センサ４３と対向して、略円形状の受光穴４４ａが形成されている。また、前面側の対向する短辺側には、取付舌片４４ｂが延出して形成されている。
【００３０】
したがって、前述したように、点灯装置４は、ケース４４の取付舌片４４ｂが取付部材３の背面側において、基板２１の前面側から挿通される取付ボルトＢによって、基板２１とともに共締めされて取付けられ配設される。
【００３１】
前面側に光源部２、背面側に点灯装置４が取付けられた取付部材３は、その周縁部がカバー部材１の収容空間１６に開口する一対の溝部１９に挿入されることでカバー部材１に支持される。また、取付部材３の先端側も先端部１１に連続する溝部１９に係合している。このように、カバー部材１の収容空間１６は、取付部材３によって投光部１４側と笠部１５側とに実質分断されている。
【００３２】
また、カバー部材１の溝部１９によって光源部２を支持しているので、光源部２の他面側である笠部１５には発光素子２の放射光が照射されにくく、所望の配光特性を得ながら光害対策を図ることができる。特に、溝部１９の幅方向の寸法がカバー部材１の筒本体１ａの肉厚寸法よりも大きく外側に張り出していて、取付部材３の周縁も筒本体１ａの外表面よりも外側に張り出すように溝部１９に挿入されているので、発光素子２２の放射光が笠部１５側に照射されにくく、カバー部材１の肉厚を導光して不所望に光が漏れる迷光現象も極力抑えることができる。したがって、発光素子２２からの影響により光センサ４３が誤作動することを抑制することができる。
【００３３】
点灯装置４の配設状態においては、光センサ４３は、回路基板４１の背面側に実装されているので、カバー部材１に近づき、カバー部材１との離間距離が短くなるように配置される。加えて、光センサ４３は、カバー部材１の筒本体１ａにおける傾斜面Ｓに対向するようになるので、さらにカバー部材１との離間距離が短くなる。したがって、光センサ４３へ外光が届きやすく受光環境が良好となり、適切な検出によって光源部２の制御が可能となる。
【００３４】
以上のような点灯装置４は、商用交流電源に接続される。したがって、点灯装置４は、この交流電源を受けて直流出力を生成し、リード線を介してその直流出力を発光素子２２に供給し、発光素子２２を点灯制御するようになっている。
【００３５】
基体部５は、カバー部材１の開口部１３を閉塞する閉塞部５１を有している。基体部５は、ＡＳＡ樹脂等の耐候性、難燃性に優れた樹脂により閉塞部５１とともに一体的に成形されており、その基端側が外方に開放した有底筒状に形成されている。
【００３６】
閉塞部５１は、円筒形状をなしており、フランジ部１ｂの内面側の雌ねじ部１７ａに螺合する位置には、雄ねじ部５１ｃが形成されている。また、フランジ部１ｂの内面側の平坦面１７ｂに対向する部分には環状の凹溝５１ｂが円周方向に連続して形成されており、この凹溝５１ｂには平坦面１７ｂに当接するＯリング５２が嵌入されている。
【００３７】
すなわち、フランジ部１ｂの内面側の雌ねじ部１７ａに閉塞部５１の雄ねじ部５１ｃを螺合させて両者を嵌合させることにより基体部５の閉塞部５１が開口部１３から収容空間１６側へ侵入し、Ｏリング５２がフランジ部１ｂの内側面１７の平坦面１７ｂに当接する。Ｏリング５２は平坦面１７ｂと閉塞部５１の凹溝５１ｂと間で押圧されて弾性変形して開口部１３の内側が水密構造となって防水性が確保される。
【００３８】
閉塞部５１の先端側には開口部１３を閉塞する閉塞板５１ａが設けられており、この閉塞板５１ａと取付部材３の基端側とが当接して取付部材３が固定されている。閉塞板５１ａの略中央部分には、点灯装置４への給電を行うリード線５３が挿通する配線部５４が設けられている。この配線部５４には、内部に貫通孔が形成された円筒部５４ａが形成されており、この貫通孔にリード線５３を挿通することで配線部５４の防水性が確保されている。
【００３９】
基体部５の基端側には、フランジ部１ｂと略同径の円筒段部５５が閉塞部５１と一体的に形成されている。円筒段部５５の上方部分には、外側に向かって開口したスリット部５６が設けられており、このスリット部５６内には２つのねじ孔が形成された金属製の取付板５７が嵌挿されている。円筒段部５５の取付板５７のねじ孔に対応する位置にはねじ挿通孔が形成されている。
【００４０】
本実施形態の防犯灯には、アーム６によって路面に設置された電柱等のポールに取付けられる。アーム６は、断面コの字状の金属片の中間部を略Ｌ字状に湾曲した湾曲部６１を有しており、基端部に電柱に巻付けられる取付バンドの通し孔６２及び取り付けねじ係止用のだるま穴６３が形成されている。
【００４１】
アーム６の湾曲部６１よりも先端側には、ねじ取付け部６４が形成されており、このねじ取付け部６４に挿入された２本のねじを基体部５のスリット部５６内に嵌挿された取付板５７のねじ孔に螺合することで基体部５がアーム６に取付けられ、防犯灯がアーム６に支持される。このとき、カバー部材１の長軸方向は、アーム６の湾曲部６１によって先端部１１側が上方を向くように水平面に対して約２０°〜３０°傾いて設置される。
【００４２】
したがって、カバー部材１の開口部１３は設置状態において常に下方に向いており、降雨による水滴が開口部１３内に浸入しにくく、防水性能が向上する。さらに、比較的表面積が大きいカバー部材１の先端部１１側を上方に向けることで笠部１５内の対流と熱交換の効率が向上するため、放熱特性を向上させることもできる。
このように構成された防犯灯は、屋外が暗くなると光センサ４３の検知出力によって光源部２に電源側から点灯装置４を介して電力が供給され、発光素子２２が点灯される。また、屋外が明るくなると光センサ４３の検知出力によって電力が遮断され発光素子２２が消灯される。
【００４３】
この場合、光センサ４３は、回路基板４１の背面側に実装されおり、さらに、カバー部材１の傾斜面Ｓに対向するように配置されているので、外光が受光穴４４ａを介して光センサ４３に届きやすく、光センサ４３の適切な明るさの検出によって光源部２の制御が適切に実行されるようになる。
【００４４】
防犯灯の点灯状態においては、発光素子２２から出射される光は、レンズ部材２３を通過し、透光性のカバー部材１を透過して外方へ所期の配光状態で放射される。
【００４５】
一方、発光素子２２の点灯中は、発光素子２２から熱が発生する。この熱は、基板２１から取付部材３へ伝導され放熱される。さらに、取付部材３から点灯装置４が収容されたケース４４へも伝導され放熱が促進される。また、同時に、点灯装置４から発生する熱は、主としてケース４４へ伝導されて放熱されるようになる。
【００４６】
以上のように本実施形態によれば、光センサ４３は、回路基板４１の背面側に実装されているので、外光が光センサ４３に届きやすく、光センサ４３の適切な検出によって光源部２を制御することが可能となる。また、光センサ４３は、格別の基板等に実装することなく、点灯装置４の回路基板４１を有効に利用して実装されているので、構成の簡素化を図ることができる。
【００４７】
さらに、光センサ４３は、高さ寸法の小さい回路部品４２ａが実装されている回路基板４１の背面側に実装されているので、外光を受光しやすい配置とすることができる。加えて、光センサ４３は、点灯装置４が収容されたケース４４に形成された受光穴４４ａを介して受光することが可能となっている。
また、光センサ４３は、カバー部材１の傾斜面Ｓに対向しているので、さらに外光が届きやすく、光センサ４３の適切な検出が可能となる。
【００４８】
なお、本発明は、上記実施形態の構成に限定されることなく、発明の要旨を逸脱しない範囲で種々の変形が可能である。例えば、発光素子は、ＬＥＤや有機ＥＬ等の基板に実装可能な固体発光素子が適用できる。また、その実装個数は、特段限定されるものではない。
また、照明装置としては、防犯灯に限らず、各種照明装置に適用可能である。
【符号の説明】
【００４９】
１・・・カバー部材、２・・・光源部、
３・・・取付部材、４・・・点灯装置、
５・・・基体部、６・・・アーム、
２１・・・基板、２２・・・発光素子（ＬＥＤ）、
４１・・・回路基板、４２・・・回路部品、
４３・・・光センサ、４４・・・ケース、
４４ａ・・・受光穴、Ｓ・・・傾斜面
【図１】
2012216477.tif 000003
【図２】
2012216477.tif 000004
【図３】
2012216477.tif 000005
【図４】
2012216477.tif 000006